(57)【特許請求の範囲】
【請求項１】
ラジエータ（１１）のコア部（１７）の両側に配置される断面コ字状のレインフォース（１９）に、コンデンサ（１３）のタンク（２１）に固定される板状のブラケット（２７）を連結部材（２９Ｂ）により連結するためのラジエータとコンデンサとの連結構造において、
前記連結部材（２９Ｂ）に切欠部（３１）を形成して、切欠部（３１）の一側にスペーサ部（３３）を、他側に挟持部（３５）を一体形成し、前記レインフォース（１９）に前記スペーサ部（３３）を嵌挿するとともに、前記切欠部（３１）に、前記レインフォース（１９）のコンデンサ（１３）側の折曲部（１９ｃ）を嵌挿し、前記切欠部（３１）の前記挟持部（３５）側に形成される凹部（３５ｃ）に前記ブラケット（２７）を嵌挿し、前記レインフォース（１９），スペーサ部（３３），ブラケット（２７）および挟持部（３５）を貫通してボルト（４１）を挿通し、前記ボルト（４１）の先端にナット（３９）を螺合して締結してなり、前記連結部材（２９Ｂ）に、前記レインフォース（１９）に形成される係止穴（１９ｅ）に係止される係止爪（３３ｂ）を形成してなることを特徴とするラジエータとコンデンサとの連結構造。
【請求項２】
請求項１記載のラジエータとコンデンサとの連結構造において、
前記連結部材（２９Ｂ）の挟持部（３５）の外側に、前記ナット（３９）を回動しないように収容するナット収容部（３７）を配置してなることを特徴とするラジエータとコンデンサとの連結構造。
【発明の詳細な説明】
【０００１】
【発明の属する技術分野】
本発明は、ラジエータとコンデンサとを連結するためのラジエータとコンデンサとの連結構造に関する。
【０００２】
【従来の技術】
従来、ラジエータとコンデンサとを連結するためのラジエータとコンデンサとの連結構造として、例えば、実開昭５９−１３０９８７号公報に開示されるものが知られている。
図１２は、この公報に開示される連結構造を示すもので、この連結構造では、コンデンサ１とラジエータ２とが所定間隔を置いて配置されている。
【０００３】
そして、コンデンサ１の冷却風ガイド３と、ラジエータ２のレインフォース４との間にスペーサ５が配置され、これ等を貫通してボルト６を挿通し、先端にナット７を螺合することにより、コンデンサ１とラジエータ２とが連結されている。
【０００４】
【発明が解決しようとする課題】
しかしながら、このような従来のラジエータとコンデンサとの連結構造では、ラジエータ２のレインフォース４の一側に形成される折曲部４ａにのみ、スペーサ５を介してコンデンサ１が連結されるため、折曲部４ａが変形するおそれがあり、充分な連結強度を得ることができないという問題があった。
【０００５】
本発明は、かかる従来の問題を解決したもので、ラジエータのレインフォースにコンデンサを容易，確実に連結することができるラジエータとコンデンサとの連結構造を提供することを目的とする。
【０００６】
【課題を解決するための手段】
請求項１のラジエータとコンデンサとの連結構造は、ラジエータのコア部の両側に配置される断面コ字状のレインフォースに、コンデンサのタンクに固定される板状のブラケットを連結部材により連結するためのラジエータとコンデンサとの連結構造において、前記連結部材に切欠部を形成して、切欠部の一側にスペーサ部を、他側に挟持部を一体形成し、前記レインフォースに前記スペーサ部を嵌挿するとともに、前記切欠部に、前記レインフォースのコンデンサ側の折曲部を嵌挿し、前記切欠部の前記挟持部側に形成される凹部に前記ブラケットを嵌挿し、前記レインフォース，スペーサ部，ブラケットおよび挟持部を貫通してボルトを挿通し、前記ボルトの先端にナットを螺合して締結してなり、前記連結部材に、前記レインフォースに形成される係止穴に係止される係止爪を形成してなることを特徴とする。
【０００８】
請求項２のラジエータとコンデンサとの連結構造は、請求項１記載のラジエータとコンデンサとの連結構造において、前記連結部材の挟持部の外側に、前記ナットを回動しないように収容するナット収容部を一体形成してなることを特徴とする。
【００１０】
（作用）
請求項１のラジエータとコンデンサとの連結構造では、レインフォースのコンデンサ側の折曲部を切欠部に挿入するようにして、連結部材のスペーサ部をレインフォースに嵌挿した後、切欠部の挟持部側にブラケットを嵌挿し、この後、レインフォース，スペーサ部，ブラケットおよび挟持部を貫通してボルトを挿通し、ボルトの先端にナットを螺合することによりラジエータとコンデンサとが連結される。
また、連結部材のスペーサ部をレインフォースに嵌挿すると、連結部材の係止爪が、レインフォースに形成される係止穴に係止される。
【００１２】
請求項２のラジエータとコンデンサとの連結構造では、連結部材の挟持部の外側に、ナットを回動しないように収容するナット収容部が一体形成される。
【００１３】
【発明の実施の形態】
以下、本発明の実施形態を図面を用いて詳細に説明する。
図１および図２は、本発明のラジエータとコンデンサとの連結構造の第１の実施形態を示しており、図３は、この実施形態で連結の対象となるラジエータおよびコンデンサを示している。
【００１４】
図３において符号１１はラジエータを、符号１３はコンデンサを示している。
ラジエータ１１は、上下のタンク１５の間にコア部１７を形成してなり、コア部１７の左右両側にレインフォース１９が配置されている。
レインフォース１９は、横断面コ字状をしており、底面部１９ａの両側に折曲部１９ｂ，１９ｃが形成されている。
【００１５】
また、レインフォース１９の折曲部１９ｂ，１９ｃの上下には、ボルト穴１９ｄが形成されている。
コンデンサ１３は、左右のヘッダータンク２１の間にコア部２３を形成してなり、コア部２３の上下に補強部材２５が配置されている。
ヘッダータンク２１は円筒状をしており、上下にブラケット２７が配置されている。
【００１６】
ブラケット２７には、ボルト穴２７ａが形成されている。
図１および図２は、本発明のラジエータとコンデンサとの連結構造の要部の詳細を示しており、符号２９は、ラジエータ１１のレインフォース１９に、コンデンサ１３のブラケット２７を連結するための連結部材を示している。
この連結部材２９は、直方体形状をしており、例えば、ナイロン６６等の樹脂により形成されている。
【００１７】
連結部材２９には、切欠部３１が形成され、切欠部３１の一側にスペーサ部３３が、他側に挟持部３５が一体形成されている。
そして、スペーサ部３３が、レインフォース１９の折曲部１９ｂ，１９ｃの間に嵌挿され、切欠部３１にレインフォース１９のコンデンサ１３側の折曲部１９ｃが挿入されている。
【００１８】
また、切欠部３１には、レインフォース１９の折曲部１９ｃに隣接して、コンデンサ１３のブラケット２７が嵌挿されている。
連結部材２９の挟持部３５の外側には、矩形状のナット収容部３７が一体形成されている。
このナット収容部３７には、開口部が形成され、四角形状のナット３９が、回動しないように収容されている。
【００１９】
連結部材２９のスペーサ部３３，挟持部３５およびナット収容部３７には、ボルト穴３３ａ，３５ａ，３７ａが貫通形成され、このボルト穴３３ａ，３５ａ，３７ａの位置と同軸上に、ナット３９の雌螺子部が位置されている。
そして、レインフォース１９の一方の折曲部１９ｂ，スペーサ部３３，レインフォース１９の他方の折曲部１９ｃ，ブラケット２７および挟持部３５を貫通してボルト４１を挿通し、ボルト４１の先端にナット３９を螺合することによりコンデンサ１３のブラケット２７が連結部材２９を介してレインフォース１９に連結されている。
【００２０】
上述したラジエータとコンデンサとの連結構造では、レインフォース１９のコンデンサ１３側の折曲部１９ｃを切欠部３１に挿入するようにして、連結部材２９のスペーサ部３３をレインフォース１９に嵌挿した後、切欠部３１の挟持部３５側にブラケット２７を嵌挿し、この後、レインフォース１９，スペーサ部３３，ブラケット２７および挟持部３５を貫通してボルト４１を挿通し、ボルト４１の先端にナット３９を螺合することによりラジエータ１１とコンデンサ１３とが連結されるため、ラジエータ１１のレインフォース１９にコンデンサ１３を容易に連結することができる。
【００２１】
また、レインフォース１９に連結部材２９のスペーサ部３３を嵌挿するようにしたので、レインフォース１９の折曲部１９ｂ，１９ｃが変形することがなくなり、充分な連結強度を得ることが可能になり、ラジエータ１１のレインフォース１９にコンデンサ１３を確実に連結することができる。
さらに、連結部材２９の挟持部３５の外側に、ナット３９を回動しないように収容するナット収容部３７を一体形成したので、レインフォース１９，スペーサ部３３，ブラケット２７および挟持部３５を貫通してボルト４１を挿通し、ボルト４１を単に回動することによりボルト４１をナット３９に容易に螺合することができる。
【００２２】
図４および図５は、本発明のラジエータとコンデンサとの連結構造の第２の実施形態の要部を示すもので、この実施形態では、コンデンサ１３のブラケット２７に形成されるボルト穴２７ａの下方に突起部２７ｂが形成されている。
一方、連結部材２９Ａの挟持部３５の内側には、凹陥部３５ｂが形成されている。
【００２３】
この実施形態では、連結部材２９Ａの切欠部３１に、コンデンサ１３のブラケット２７を嵌挿すると、挟持部３５が弾性変形し、ブラケット２７の突起部２７ｂが、連結部材２９Ａの挟持部３５の凹陥部３５ｂに嵌合する。
従って、連結部材２９Ａの切欠部３１の所定位置に、ブラケット２７を容易，確実に位置させることができる。
【００２４】
図６および図７は、本発明のラジエータとコンデンサとの連結構造の第３の実施形態の要部を示している。
この実施形態では、レインフォース１９の折曲部１９ｂ，１９ｃには、ボルト穴１９ｄの上下に所定間隔を置いて係止穴１９ｅが形成されている。
一方、連結部材２９Ｂには、スペーサ部３３の上下に、係止部３３ａが形成されている。
【００２５】
係止部３３ａの両側には、係止爪３３ｂが形成されている。
そして、連結部材２９Ｂのスペーサ部３３をレインフォース１９に嵌挿すると、スペーサ部３３の係止爪３３ｂが、レインフォース１９に形成される係止穴１９ｅに係止され位置決め固定される。
また、この実施形態では、連結部材２９Ｂの挟持部３５の内側には、コンデンサ１３のブラケット２７が嵌挿される凹部３５ｃが形成されている。
【００２６】
この実施形態では、連結部材２９Ｂのスペーサ部３３をレインフォース１９に嵌挿すると、連結部材２９Ｂの係止爪３３ｂが、レインフォース１９に形成される係止穴１９ｅに係止されるため、連結部材２９Ｂをレインフォース１９の所定位置に容易，確実に配置することができる。
また、連結部材２９Ｂの挟持部３５の内側に、コンデンサ１３のブラケット２７が嵌挿される凹部３５ｃを形成したので、ブラケット２７を所定位置に容易，確実に配置することができる。
【００２７】
図８および図９は、本発明のラジエータとコンデンサとの連結構造の第４の実施形態の要部を示すもので、この実施形態では、連結部材２９Ｃの挟持部３５の外側に、コンデンサ１３のブラケット２７が嵌挿される凹部３５ｄが形成されている。
また、この挟持部３５には、クリップ部４３が開閉自在に一体形成されている。
【００２８】
クリップ部４３の先端には、挟持部３５の突起部３５ｅに係止される係止爪４３ａが一体形成されている。
また、クリップ部４３には、ボルト穴４３ｂが形成され、クリップ部４３の外側にナット収容部３７が形成されている。
この実施形態においても第１の実施形態と同様の効果を得ることができが、この実施形態では、クリップ部４３の係止爪４３ａを挟持部３５の突起部３５ｅに係止することにより、連結部材２９Ｃの挟持部３５の凹部３５ｄに嵌挿されるコンデンサ１３のブラケット２７を仮固定することができる。
【００２９】
図１０および図１１は、本発明のラジエータとコンデンサとの連結構造の第５の実施形態の要部を示している。
この実施形態では、レインフォース１９の底面部１９ａには、ボルト穴１９ｄの上下に所定間隔を置いて係止穴１９ｆが形成されている。
一方、連結部材２９Ｄには、スペーサ部３３の上下に、係止爪３３ｃが形成されている。
【００３０】
そして、連結部材２９Ｄのスペーサ部３３をレインフォース１９に嵌挿すると、スペーサ部３３の係止爪３３ｃが、レインフォース１９に形成される係止穴１９ｆに係止され位置決め固定される。
また、この実施形態では、連結部材２９Ｄの挟持部３５の内側には、コンデンサ１３のブラケット２７が嵌挿される凹部３５ｃが形成されている。
【００３１】
さらに、この実施形態では、ナット収容部３７Ａにナット３９の抜けを防止するための突起部３５ｆが形成されている。
一方、ナット収容部３７Ａには、一対の爪部３７ｂが形成され、突起部３５ｆに沿って、側方からナット３９を挿入すると爪部３７ｂが弾性変形して、突起部３５ｆの内側にナット３９が収容される。
【００３２】
また、この実施形態では、スペーサ部３３には、ボルト穴が形成されておらず、ボルト４１が挿通される切欠部３３ｄが形成されている。
この実施形態では、連結部材２９Ｄのスペーサ部３３をレインフォース１９に嵌挿すると、連結部材２９Ｄの係止爪３３ｃが、レインフォース１９に形成される係止穴１９ｆに係止されるため、連結部材２９Ｄをレインフォース１９の所定位置に容易，確実に配置することができる。
【００３３】
また、連結部材２９Ｄの挟持部３５の内側に、コンデンサ１３のブラケット２７が嵌挿される凹部３５ｃを形成したので、ブラケット２７を所定位置に容易，確実に配置することができる。
【００３４】
さらに、この実施形態では、ナット収容部３７Ａにナット３９の抜けを防止するための突起部３５ｆを形成したので、運搬時等にナット３９が抜けることを確実に防止することができる。
なお、上述した実施形態では、ブラケット２７にボルト穴２７ａを形成した例について説明したが、本発明はかかる実施形態に限定されるものではなく、例えば、ボルト穴に代えて切欠溝を形成しても良い。
【００３５】
【発明の効果】
以上述べたように、請求項１のラジエータとコンデンサとの連結構造では、レインフォースのコンデンサ側の折曲部を切欠部に挿入するようにして、連結部材のスペーサ部をレインフォースに嵌挿した後、切欠部の挟持部側にブラケットを嵌挿し、この後、レインフォース，スペーサ部，ブラケットおよび挟持部を貫通してボルトを挿通し、ボルトの先端にナットを螺合することによりラジエータとコンデンサとが連結されるため、ラジエータのレインフォースにコンデンサを容易に連結することができる。
【００３６】
また、レインフォースに連結部材のスペーサ部を嵌挿するようにしたので、レインフォースの折曲部が変形することがなくなり、充分な連結強度を得ることが可能になり、ラジエータのレインフォースにコンデンサを確実に連結することができる。
さらに、連結部材のスペーサ部をレインフォースに嵌挿すると、連結部材の係止爪が、レインフォースに形成される係止穴に係止されるため、連結部材をレインフォースの所定位置に容易，確実に配置することができる。
【００３７】
請求項２のラジエータとコンデンサとの連結構造では、連結部材の挟持部の外側に、ナットを回動しないように収容するナット収容部を一体形成したので、レインフォース，スペーサ部，ブラケットおよび挟持部を貫通してボルトを挿通し、ボルトを単に回動することによりボルトをナットに螺合することができる。
【図面の簡単な説明】
【図１】本発明のラジエータとコンデンサとの連結構造の第１の実施形態の要部を示す分解斜視図である。
【図２】図１の連結状態を示す断面図である。
【図３】図１の第１の実施形態が適用されるラジエータおよびコンデンサを示す斜視図である。
【図４】本発明のラジエータとコンデンサとの連結構造の第２の実施形態の要部を示す分解斜視図である。
【図５】図４の連結状態を示す断面図である。
【図６】本発明のラジエータとコンデンサとの連結構造の第３の実施形態の要部を示す分解斜視図である。
【図７】図６の連結状態を示す断面図である。
【図８】本発明のラジエータとコンデンサとの連結構造の第４の実施形態の要部を示す分解斜視図である。
【図９】図８の連結状態を示す断面図である。
【図１０】本発明のラジエータとコンデンサとの連結構造の第５の実施形態の要部を示す分解斜視図である。
【図１１】図１０の連結状態を示す断面図である。
【図１２】従来のラジエータとコンデンサとの連結構造を示す断面図である。
【符号の説明】
１１  ラジエータ
１３  コンデンサ
１９  レインフォース
１９ｂ，１９ｃ  折曲部
１９ｅ  係止穴
２７  ブラケット
２９，２９Ａ，２９Ｂ，２９Ｃ  連結部材
３１  切欠部
３３  スペーサ部
３３ｂ  係止爪
３５  挟持部
３７  ナット収容部
３９  ナット
【図１】
0004116156.tif 000002
【図２】
0004116156.tif 000003
【図３】
0004116156.tif 000004
【図４】
0004116156.tif 000005
【図５】
0004116156.tif 000006
【図６】
0004116156.tif 000007
【図７】
0004116156.tif 000008
【図８】
0004116156.tif 000009
【図９】
0004116156.tif 000010
【図１０】
0004116156.tif 000011
【図１１】
0004116156.tif 000012
【図１２】
0004116156.tif 000013